(57)【要約】【課題】仮に幼児が乗ったとしても、容易には落下することがないファンヒータ用ガードを提供する。【解決手段】ファンヒータ用ガード（１００）は、ファンヒータ（１４０）の温風吹き出し口の前方に配置され、両側部においてファンヒータに支持され、温風吹き出し口を全面的に覆う。ファンヒータ用ガード（１００）には、ファンヒータ用ガードに対する上下方向における相対的位置を変更することができる支持部材（１２０）が取り付けられており、支持部材（１２０）は床面に接地することにより、ファンヒータ用ガード（１００）の落下を防止する。【選択図】図３
0003118210.tif 000002
【実用新案登録請求の範囲】
【請求項１】
ファンヒータの温風吹き出し口の前方に配置され、両側部において前記ファンヒータに支持され、前記温風吹き出し口を全面的に覆うファンヒータ用ガードであって、
前記ファンヒータ用ガードには、前記ファンヒータ用ガードに対する上下方向における相対的位置を変更することができる支持部材が取り付けられており、
前記支持部材は床面に接地することにより、前記ファンヒータ用ガードの落下を防止するものであることを特徴とするファンヒータ用ガード。
【請求項２】
前記支持部材は、
前記ファンヒータ用ガードに取り付けられ、上下方向に延びるプレートであって、上下方向に配列された複数個の孔が形成されているプレートと、
一端において前記プレートの前記孔に着脱自在に係合する脚部材と、
からなるものであることを特徴とする請求項１に記載のファンヒータ用ガード。
【請求項３】
前記プレートは、前記温風吹き出し口の左右に位置する前記両側部に設けられていることを特徴とする請求項２に記載のファンヒータ用ガード。
【請求項４】
前記脚部材は、
前記両側部の各々に設けられている各プレートの前記孔に係合する二つの第一プレートと、
前記二つの第一プレートの各他端を結合する第二プレートと、
からなるものであることを特徴とする請求項３に記載のファンヒータ用ガード。
【考案の詳細な説明】
【技術分野】
【０００１】
本考案は、ファンヒータの温風吹き出し口の正面に配置し、温風吹き出し口に使用者の身体が直接的に接触することを防止するファンヒータ用ガードに関する。
【背景技術】
【０００２】
ファンヒータの温風吹き出し口またはその周囲は高温になることがあるため、使用者、特に、幼児が不用意に触れないように、通常、ファンヒータの温風吹き出し口の前面にはファンヒータ用ガードが配置される。
【０００３】
そのようなファンヒータ用ガードの一例として特開２００３−３０７３２０号公報に記載されたものがある。
【０００４】
図５及び図６は同公報に記載されたファンヒータ用ガードの斜視図である。以下、図５及び図６を参照して、同公報に記載されたファンヒータ用ガードを説明する。
【０００５】
図５に示すように、ファンヒータ用ガード１０は、ファンヒータ１１の正面から見て右側に位置する第１半体１２と、左側に位置する第２半体１４とから構成されている。
【０００６】
第１半体１２は、ファンヒータ１１の正面に設けられた温風吹き出し口１１ａの長手方向における右半分を正面側から部分的に覆う第１前面ガード１２ａと、第１前面ガード１２ａの一端部側に設けられる第１側面ガード１２ｂとから構成されている。
【０００７】
また、第２半体１４は、ファンヒータ１１の正面に設けられた温風吹き出し口１１ａの長手方向における左半分を正面側から部分的に覆う第２前面ガード１４ａと、第２前面ガード１４ａの一端部側に設けられる第２側面ガード１４ｂとから構成されている。
【０００８】
第１半体１２は、ファンヒータ１１の一方の側面１１ｂに対して回動自在に支持されているとともに、第２半体１４は、ファンヒータ１１の他方の側面１１ａに対して回動自在に支持されている。
【０００９】
このため、ファンヒータ１１の両側面１１ｂ、１１ａに第１側面ガード１２ｂ及び第２側面ガード１４ｂを取り付けた後、第１前面ガード１２ａ及び第２前面ガード１４ａを温風吹き出し口１１ａに向けて回動させることにより、温風吹き出し口１１ａの全体が覆われる。
【考案の開示】
【考案が解決しようとする課題】
【００１０】
図５及び図６に示したファンヒータ１１の温風吹き出し口１１ａは地面からある程度の高さに位置している。このため、ファンヒータ用ガード１０も温風吹き出し口１１ａの高さに合わせて配置されている。
【００１１】
温風吹き出し口１１ａの地面からの高さはそれほど高いものではないので、幼児でも十分に乗ることができる高さであることがある。このため、まれに幼児がファンヒータ用ガード１０の上に乗ってしまい、その結果として、ファンヒータ用ガード１０が落下することがあった。
【００１２】
ファンヒータ用ガード１０が落下すると、高温になっている温風吹き出し口１１ａが露出するため、幼児が温風吹き出し口１１ａに触れてしまうおそれがあった。
【００１３】
本考案はこのような従来のファンヒータ用ガードにおける問題点に鑑みてなされたものであり、仮に幼児が乗ったとしても、容易には落下することがないファンヒータ用ガードを提供することを目的とする。
【課題を解決するための手段】
【００１４】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている発明の技術的範囲の解釈に用いるべきものではない。
【００１５】
上記の目的を達成するため、本考案は、ファンヒータ（１４０）の温風吹き出し口の前方に配置され、両側部において前記ファンヒータ（１４０）に支持され、前記温風吹き出し口を全面的に覆うファンヒータ用ガード（１００、２００）であって、前記ファンヒータ用ガード（１００、２００）には、前記ファンヒータ用ガード（１００、２００）に対する上下方向における相対的位置を変更することができる支持部材（１２０、２１０）が取り付けられており、前記支持部材（１２０、２１０）は床面に接地することにより、前記ファンヒータ用ガード（１００、２００）の落下を防止するものであることを特徴とするファンヒータ用ガード（１００、２００）を提供する。
【００１６】
例えば、前記支持部材（１２０）は、前記ファンヒータ用ガード（１００、２００）に取り付けられ、上下方向に延びるプレート（１２１）であって、上下方向に配列された複数個の孔（１２３）が形成されているプレート（１２１）と、一端において前記プレート（１２１）の前記孔（１２３）に着脱自在に係合する脚部材（１２２、２１０）と、から構成することができる。
【００１７】
前記プレート（１２１）は、前記温風吹き出し口の左右に位置する前記両側部に設けられていることが好ましい。
【００１８】
例えば、前記脚部材（１２２）は、前記両側部の各々に設けられている各プレート（１２１）の前記孔（１２３）に係合する二つの第一プレート（１２２Ａ）と、前記二つの第一プレート（１２２Ａ）の各他端を結合する第二プレート（１２２Ｂ）と、から構成することができる。
【考案の効果】
【００１９】
第一に、ファンヒータ用ガードは支持部材により鉛直方向（上下方向）において支持されるため、たとえ、ファンヒータ用ガード上に幼児が乗ったとしても、ファンヒータ用ガードが幼児の体重で落下することはなく、ファンヒータ用ガードの落下に伴う温風吹き出し口の露出を防止することができる。すなわち、高温状態になっている温風吹き出し口が露出することがなくなるので、温風吹き出し口への接触による事故を防止することができる。
【００２０】
第二に、支持部材はファンヒータ用ガードに対する上下方向における相対的位置を変更することができるため、本考案に係るファンヒータ用ガードは、ファンヒータ用ガードの取り付け位置の高さが異なる各種ファンヒータに対して適用することが可能である。
【００２１】
従来のファンヒータには、温風吹き出し口に自動シャッターを設けたものがある。この自動シャッターは、温風吹き出し時には開いており、ファンヒータの消化時（すなわち、使用を停止する時）には、自動的に閉まることにより、消化時に発生する臭いが温風吹き出し口から漏れ出ることを防止するものである。本考案に係るファンヒータ用ガードはこのような自動シャッター付きファンヒータにも適用することが可能である。
【考案を実施するための最良の形態】
【００２２】
（第一の実施形態）
図１（Ａ）は本考案の第一の実施形態に係るファンヒータ用ガード１００の正面図、図１（Ｂ）は左側面図、図１（Ｃ）は右側面図である。
【００２３】
図２（Ａ）は本考案の第一の実施形態に係るファンヒータ用ガード１００における脚部材の正面図、図２（Ｂ）は側面図である。
【００２４】
図３は、本考案の第一の実施形態に係るファンヒータ用ガード１００の使用状態を示す部分的な斜視図である。
【００２５】
図３に示すように、本考案の第一の実施形態に係るファンヒータ用ガード１００は、前面ガード１１０と、支持部材１２０と、から構成されている。
【００２６】
図１に示すように、前面ガード１１０は、縦断面形状がＵ字型に近い形状をなしている骨格部材１１１と、骨格部材１１１の正面及び左側面を覆うネット部材１１２と、から構成されている。
【００２７】
骨格部材１１１は金属製の中実棒を溶接して作製されたものであり、ネット部材１１２は金属製のネットからなる。
【００２８】
図３に示すように、前面ガード１１０は取り付け部材１３０を介してファンヒータ１４０の両側面に取り外し自在に取り付けられる。取り付け部材１３０はＬ字型の形状をなしており、一端が前面ガード１１０に取り外し自在に取り付けられ、他端において、ネジ１３１を介して、ファンヒータ１４０の側面に固定される。
【００２９】
図３に示すように前面ガード１１０が取り付けられると、ファンヒータ１４０の温風吹き出し口（図示せず）の全体がネット部材１１２により覆われる。
【００３０】
支持部材１２０は、前面ガード１１０の両側面の各々に取り付けられているプレート１２１と、図２に示す脚部材１２２と、から構成されている。
【００３１】
プレート１２１は、前面ガード１１０をファンヒータ１４０に対して取り付けたときに上下方向に延びるプレートである。プレート１２１には、上下方向に配列された複数個の孔１２３が形成されている。
【００３２】
孔１２３は水平方向に長い矩形状をなしており、複数個の孔１２３の各々は相互に等間隔に配置されている。
【００３３】
脚部材１２２は、前面ガード１１０の両側面の各々に設けられている各プレート１２１の孔１２３に係合可能な二つの第一プレート部材１２２Ａと、二つの第一プレート部材１２２Ａの各一端（図２の下端）を結合する第二プレート部材１２２Ｂと、から構成されている。
【００３４】
第一プレート部材１２２Ａの他端は内側に折り曲げられ、係合部１２２Ｃを構成している。この係合部１２２Ｃは、プレート１２１に形成された各孔１２３に係合可能な形状及び大きさを有しており、係合部１２２Ｃが複数個の孔１２３の何れか一つに係合することにより、脚部材１２２はプレート１２１に対して結合される。係合部１２２Ｃが係合する孔１２３に応じて、脚部材１２２の前面ガード１１０に対する上下方向における相対的位置を変更することができる。このため、複数個の孔１２３のうちの適当な孔１２３を選択することにより、脚部材１２２を床面（または地面）に接地させた状態で、脚部材１２２をプレート１２１に係合させることができる。
【００３５】
以下、図３を参照して、本考案の第一の実施形態に係るファンヒータ用ガード１００の使用状態を説明する。
【００３６】
まず、取り付け部材１３０の一端を図１に示す前面ガード１１０に取り付ける。
【００３７】
次いで、取り付け部材１３０の他端を、ネジ１３１を介して、ファンヒータ１４０の両側面に取り付ける。これにより、前面ガード１１０は、ネット部材１１２がファンヒータ１４０の温風吹き出し口（図示せず）の前方に位置するように、ファンヒータ１４０に対して取り付けられる。
【００３８】
次いで、脚部材１２２の第二プレート部材１２２Ｂを地面（または床面）に接触させた状態において、第一プレート部材１２２Ａの自由端に形成されている係合部１２２Ｃを、プレート１２１に形成されている複数個の孔１２３のうちの、係合部１２２Ｃに対応する高さにある孔１２３に嵌合させる。
【００３９】
これにより、図３に示すように、脚部材１２２はプレート１２１ひいては前面ガード１１０に対して固定される。
【００４０】
本考案の第一の実施形態に係るファンヒータ用ガード１００によれば、次のような効果を得ることができる。
【００４１】
第一に、前面ガード１１０は支持部材１２０により鉛直方向において支持されるため、たとえ、前面ガード１１０上に幼児が乗ったとしても、前面ガード１１０が幼児の体重で落下することはなく、前面ガード１１０の落下に伴う温風吹き出し口の露出を防止することができる。
【００４２】
第二に、支持部材１２０は前面ガード１１０に対する上下方向における相対的位置を変更することができるため、本考案の第一の実施形態に係るファンヒータ用ガード１００は、前面ガード１１０の取り付け位置の高さが異なる各種ファンヒータに対して適用することが可能である。
【００４３】
なお、本実施形態においては、プレート１２１に形成された複数個の孔１２３の各々は相互に等間隔に配置されているが、複数個の孔１２３を相互に等間隔に配置することは必ずしも必要ではなく、隣接する孔１２３の相互間の距離をそれぞれ異なるようにすることもできる。
【００４４】
また、本実施形態においては、プレート１２１は温風吹き出し口の左右に位置する前面ガード１１０の両側面に設けられているが、プレート１２１を前面ガード１１０の正面側に設けることも可能である。
【００４５】
また、本実施形態においては、脚部材１２２は係合部１２２Ｃを介してプレート１２１に係合しているが、脚部材１２２がプレート１２１に係合する手段は係合部１２２Ｃには限定されない。脚部材１２２を確実にプレート１２１に係合させることができる手段であれば、どのような手段をも用いることができる。
【００４６】
（第二の実施形態）
第一の実施形態に係るファンヒータ用ガード１００においては、支持部材１２０を構成する脚部材１２２は二つのプレート１２１に同時に係合するように構成されているが、脚部材１２２は必ずしもそのように構成することは必要ではない。
【００４７】
以下に述べる第二の実施形態においては、支持部材１２０を構成する脚部材１２２は二つのプレート１２１に対してそれぞれ独立に係合するように構成されている。
【００４８】
図４は、本考案の第二の実施形態に係るファンヒータ用ガード２００の使用状態を示す部分的な斜視図である。
【００４９】
本考案の第二の実施形態に係るファンヒータ用ガード２００は、支持部材１２０を構成する脚部材の構造においてのみ、本考案の第一の実施形態に係るファンヒータ用ガード１００と異なる。
【００５０】
図４に示すように、本実施形態における脚部材２１０は、プレート部材２１１と、支持台２１２と、から構成されている。
【００５１】
プレート部材２１１は、第一の実施形態に係るファンヒータ用ガード１００における脚部材１２２の第一プレート部材１２２Ａと同一の構造を有しており、その一端は内側に折り曲げられ、係合部１２２Ｃと同様の係合部を構成している。
【００５２】
支持台２１２は円形状の金属板からなり、プレート部材２１１はその他端において、プレート部材２１１が支持台２１２に対して直交するように、支持台２１２に溶接されている。
【００５３】
本考案の第二の実施形態に係るファンヒータ用ガード２００によっても、本考案の第一の実施形態に係るファンヒータ用ガード１００と同様の効果を得ることができる。
【００５４】
さらに、脚部材２１０は二つのプレート１２１に対して共通のものを用いることができるので、本考案の第一の実施形態に係るファンヒータ用ガード１００と比較して、脚部材の製造の簡易化を図ることができる。
【００５５】
また、第一の実施形態における脚部材１２２と比較して、脚部材の小型化を図ることができる。
【図面の簡単な説明】
【００５６】
【図１】図１（Ａ）は本考案の第一の実施形態に係るファンヒータ用ガードの正面図、図１（Ｂ）は左側面図、図１（Ｃ）は右側面図である。
【図２】図２（Ａ）は本考案の第一の実施形態に係るファンヒータ用ガードにおける脚部材の正面図、図２（Ｂ）は側面図である。
【図３】本考案の第一の実施形態に係るファンヒータ用ガードの使用状態を示す部分的な斜視図である。
【図４】本考案の第二の実施形態に係るファンヒータ用ガードの使用状態を示す部分的な斜視図である。
【図５】従来のファンヒータ用ガードの使用状態を示す斜視図である。
【図６】従来のファンヒータ用ガードの使用状態を示す斜視図である。
【符号の説明】
【００５７】
１００  本考案の第一の実施形態に係るファンヒータ用ガード
１１０  前面ガード
１１１  骨格部材
１１２  ネット部材
１２０  支持部材
１２１  プレート
１２２  脚部材
１２３  孔
１３０  取り付け部材
１３１  ネジ
１４０  ファンヒータ
２００  本考案の第二の実施形態に係るファンヒータ用ガード
２１１  プレート部材
２１２  支持台
【図１】
0003118210.tif 000003
【図２】
0003118210.tif 000004
【図３】
0003118210.tif 000005
【図４】
0003118210.tif 000006
【図５】
0003118210.tif 000007
【図６】
0003118210.tif 000008